(57)【要約】【課題】照明光の変色を速やかに且つ漸次的に滑らかに変色させることを可能ならしめる照明用光源装置及びこれを備えた照明装置を提供すること。【解決手段】照明用光源装置１は、赤色発光ダイオード２ａが互いに電気的に接続されて配列されている発光ダイオード列２と、赤色発光ダイオード２ａの発光色とは異なる発光色の白色発光ダイオード３ａが互いに電気的に接続されて配列されている発光ダイオード列３と、白色発光ダイオード３ａの発光色とは異なる発光色の緑色発光ダイオード４ａが互いに電気的に接続されて配列されている発光ダイオード列４と、発光ダイオード列２、３及び４が並置された絶縁体５とを具備しており、発光ダイオード列２の複数の発光ダイオード２ａの発光は、他の発光ダイオード列３の複数の発光ダイオード３ａの発光に対して別個独立に制御されるようになっている。【選択図】図１
2010062101.tif 000002
【特許請求の範囲】
【請求項１】
複数の発光ダイオードが互いに電気的に接続されて配列されている発光ダイオード列と、発光ダイオード列の複数の発光ダイオードの発光色とは異なる発光色の複数の発光ダイオードが互いに電気的に接続されて配列されている他の発光ダイオード列と、発光ダイオード列及び他の発光ダイオード列が並置された絶縁体とを具備しており、発光ダイオード列の複数の発光ダイオードの発光は、他の発光ダイオード列の複数の発光ダイオードの発光に対して別個独立に制御されるようになっている照明用光源装置。
【請求項２】
発光ダイオード列及び他の発光ダイオード列の夫々の複数の発光ダイオードは、放射方向において配列されており、発光ダイオード列及び他の発光ダイオード列の夫々は、円周方向において互いに並置されている請求項１に記載の照明用光源装置。
【請求項３】
発光ダイオード列及び他の発光ダイオード列の夫々の両極のうちの一方は、放射方向に関して中心に位置する共通の極からなり、発光ダイオード列及び他の発光ダイオード列の夫々の両極のうちの他方は、前記共通の極から放射方向に離れて位置する別個独立の極からなる請求項２に記載の照明用光源装置。
【請求項４】
発光ダイオード列としての第一発光ダイオード列、第一発光ダイオード列に対する他の発光ダイオード列としての第二発光ダイオード列及び第二発光ダイオード列に対する他の発光ダイオード列としての第三発光ダイオード列を具備しており、第一発光ダイオード列は、第三発光ダイオード列とは異なる発光色である請求項１から３のいずれか一項に記載の照明用光源装置。
【請求項５】
第二発光ダイオード列は、第一発光ダイオード列と第三発光ダイオード列との間に配されている請求項４に記載の照明用光源装置。
【請求項６】
第一発光ダイオード列の複数の発光ダイオードの夫々は赤色発光ダイオードからなり、第二発光ダイオード列の複数の発光ダイオードの夫々は白色発光ダイオードからなり、第三発光ダイオード列の複数の発光ダイオードの夫々は緑色又は青色発光ダイオードからなる請求項４又は５に記載の照明用光源装置。
【請求項７】
請求項１から６のいずれか一項に記載された照明用光源装置を光源部に備えた照明装置。
【発明の詳細な説明】
【技術分野】
【０００１】
本発明は、テレビスタジオ、写真スタジオ、舞台等を照らすスポットライト等の照明装置に用いられて好適な照明用光源装置及びこれを備えた照明装置に関する。
【背景技術】
【０００２】
【特許文献１】特開２００８−９１３０５号公報
【特許文献２】特開２００７−５２９５７号公報
【０００３】
一般に、白熱電球を光源とするスポットライト等の照明装置が知られているが、白熱電球の寿命は短く、発熱量も多いことから、例えば特許文献１及び２の夫々においては、白熱電球に対して寿命が長く、発熱量も少ない発光ダイオード（ＬＥＤ）を光源とする照明装置が提案されている。特許文献１においては、各ＬＥＤには、すべてを同一色例えば白色を発光するものを用いることができ、或いは、白色を発光する白色ＬＥＤと、赤色、青色等の有色を発光する有色ＬＥＤとを混在させて用いることもできる旨が記載されている。
【発明の開示】
【発明が解決しようとする課題】
【０００４】
ところで、斯かる照明装置における照明光の変色は、光源にカラーフィルタを介して行わせるために、照明光を速やかに変色させ難く、また、照明光を漸次的に滑らかに変色させることも困難である。
【０００５】
本発明は、前記諸点に鑑みてなされたものであり、その目的とするところは、照明光の変色を速やかに且つ漸次的に滑らかに変色させることを可能ならしめる照明用光源装置及びこれを備えた照明装置を提供することにある。
【課題を解決するための手段】
【０００６】
本発明の照明用光源装置は、複数の発光ダイオードが互いに電気的に接続されて配列されている発光ダイオード列と、発光ダイオード列の複数の発光ダイオードの発光色とは異なる発光色の複数の発光ダイオードが互いに電気的に接続されて配列されている他の発光ダイオード列と、発光ダイオード列及び他の発光ダイオード列が並置された絶縁体とを具備しており、発光ダイオード列の複数の発光ダイオードの発光は、他の発光ダイオード列の複数の発光ダイオードの発光に対して別個独立に制御されるようになっている。
【０００７】
本発明の照明用光源装置によれば、特に、複数の発光ダイオードが互いに電気的に接続されて配列されている発光ダイオード列と、発光ダイオード列の複数の発光ダイオードの発光色とは異なる発光色の複数の発光ダイオードが互いに電気的に接続されて配列されている他の発光ダイオード列とが絶縁体によって互いに絶縁された状態で並置されており、発光ダイオード列の複数の発光ダイオードの発光は、他の発光ダイオード列の複数の発光ダイオードの発光に対して別個独立に制御されるようになっているために、発光ダイオード列及び他の発光ダイオード列の夫々の発光色を所望に調和させ得て、照明用光源装置からの発光色自体を自在に変色させることができ、而して、照明光の変色を速やかに且つ漸次的に滑らかに変色させることを可能ならしめる。
【０００８】
本発明の照明用光源装置の好ましい例では、発光ダイオード列及び他の発光ダイオード列の夫々の複数の発光ダイオードは、放射方向において配列されており、発光ダイオード列及び他の発光ダイオード列の夫々は、円周方向において互いに並置されている。
【０００９】
本発明の照明用光源装置の好ましい例では、発光ダイオード列及び他の発光ダイオード列の夫々の両極のうちの一方は、放射方向に関して中心に位置する共通の極からなり、発光ダイオード列及び他の発光ダイオード列の夫々の両極のうちの他方は、前記共通の極から放射方向に離れて位置する別個独立の極からなる。このような好ましい例によれば、互いに別個独立に制御可能な発光ダイオード列及び他の発光ダイオード列を密集配置させることができ、而して、より十分な発光量を確保し得ると共に照明用光源装置のコンパクト化を図り得る。
【００１０】
本発明の照明用光源装置の好ましい例では、発光ダイオード列としての第一発光ダイオード列、第一発光ダイオード列に対する他の発光ダイオード列としての第二発光ダイオード列及び第二発光ダイオード列に対する他の発光ダイオード列としての第三発光ダイオード列を具備しており、第一発光ダイオード列は、第三発光ダイオード列とは異なる発光色である。このような好ましい例によれば、より多彩な発光色を得ることができ、例えば、赤、緑及び青の三つの原色を混ぜる加法混色をも実現し得る。
【００１１】
本発明の照明用光源装置の好ましい例では、第二発光ダイオード列は、第一発光ダイオード列と第三発光ダイオード列との間に配されている。
【００１２】
本発明の照明用光源装置の好ましい例では、第一発光ダイオード列の複数の発光ダイオードの夫々は赤色発光ダイオードからなり、第二発光ダイオード列の複数の発光ダイオードの夫々は白色発光ダイオードからなり、第三発光ダイオード列の複数の発光ダイオードの夫々は緑色又は青色発光ダイオードからなる。このような好ましい例では、十分な光量をもった色ムラのない自然な発光色を得ることができる。
【００１３】
本発明の照明装置は、上述の本発明の照明用光源装置を光源部に備えている。斯かる照明装置によれば、照明光の変色を速やかに且つ漸次的に滑らかに変色させることができる。
【発明の効果】
【００１４】
本発明によれば、照明光の変色を速やかに且つ漸次的に滑らかに変色させることを可能ならしめる照明用光源装置及びこれを備えた照明装置を提供し得る。
【発明を実施するための最良の形態】
【００１５】
次に本発明を、図に示す好ましい実施の形態の例に基づいて更に詳細に説明する。なお、本発明はこれら例に何等限定されないのである。
【００１６】
図１及び図２において、本例の照明用光源装置１は、複数の発光ダイオードとしての三個の赤色発光ダイオード２ａが互いに電気的に接続されて配列されている発光ダイオード列２と、三個の赤色発光ダイオード２ａの発光色とは異なる発光色の複数の発光ダイオードとしての三個の白色発光ダイオード３ａが互いに電気的に接続されて配列されている発光ダイオード列３と、三個の白色発光ダイオード３ａの発光色とは異なる発光色の複数の緑色又は青色発光ダイオード、本例では三個の緑色発光ダイオード４ａが互いに電気的に接続されて配列されている発光ダイオード列４と、発光ダイオード列２、３及び４が並置された正面視円形状の絶縁体５と、絶縁体５が装着されていると共に照明装置に取り付けられる取付部材６とを具備している。
【００１７】
発光ダイオード列２は、図１及び図２に示すように、放射方向Ｂにおいて配列された三個の赤色発光ダイオード２ａ、中心Ｏに位置する一方の極（電極）１１及び中心Ｏから放射方向Ｂに離れた他方の極（電極）１２ａからなる列である。三個の赤色発光ダイオード２ａは、放射方向Ｂにおいて極１１及び１２ａに挟まれていると共に夫々互いに等間隔をもって配されている。三個の赤色発光ダイオード２ａの夫々は、消費電力１Ｗ〜２Ｗ程度であり、平面状の発光面１３を有している。
【００１８】
発光ダイオード列３は、円周方向Ａにおいて発光ダイオード列２に対して隣り合って並置されている。発光ダイオード列３は、放射方向Ｂにおいて配列された三個の白色発光ダイオード３ａ、発光ダイオード列２と共通の極１１及び中心Ｏから放射方向Ｂに離れた他方の極（電極）１２ｂからなる列である。三個の白色発光ダイオード３ａは放射方向Ｂにおいて極１１及び１２ｂに挟まれていると共に夫々互いに等間隔をもって配されている。三個の白色発光ダイオード３ａの夫々は、消費電力１Ｗ〜２Ｗ程度であり、平面状の発光面１３を有している。発光ダイオード列３は、円周方向Ａにおいて発光ダイオード列２及び４間に配されている。
【００１９】
発光ダイオード列４は、円周方向Ａにおいて発光ダイオード列３に対して隣り合って並置されている。発光ダイオード列４は、放射方向Ｂにおいて配列された三個の緑色発光ダイオード４ａ、発光ダイオード列２及び３と共通の極１１及び中心Ｏから放射方向Ｂに離れた他方の極（電極）１２ｃからなる列である。三個の緑色発光ダイオード４ａは放射方向Ｂにおいて極１１及び１２ｃに挟まれていると共に夫々互いに等間隔をもって配されている。三個の緑色発光ダイオード４ａの夫々は、消費電力１Ｗ〜２Ｗ程度であり、平面状の発光面１３を有している。
【００２０】
三個の赤色発光ダイオード２ａのうちの中心Ｏに近い内側に位置する赤色発光ダイオード２ａ、三個の白色発光ダイオード３ａのうちの中心Ｏに近い内側に位置する白色発光ダイオード３ａ及び三個の緑色発光ダイオード４ａのうちの中心Ｏに近い内側に位置する緑色発光ダイオード４ａは、円周方向Ａにおいて互いに並んで配されており、三個の赤色発光ダイオード２ａのうちの中心Ｏから離れた外側に位置する赤色発光ダイオード２ａ、三個の白色発光ダイオード３ａのうちの中心Ｏから離れた外側に位置する白色発光ダイオード３ａ及び三個の緑色発光ダイオード４ａのうちの中心Ｏから離れた外側に位置する緑色発光ダイオード４ａは、円周方向Ａにおいて互いに並んで配されており、三個の赤色発光ダイオード２ａのうちの中間に位置する赤色発光ダイオード２ａ、三個の白色発光ダイオード３ａのうちの中間に位置する白色発光ダイオード３ａ及び三個の緑色発光ダイオード４ａのうちの中間に位置する緑色発光ダイオード４ａは、円周方向Ａにおいて互いに並んで配されており、極１２ａ、１２ｂ及び１２ｃは、円周方向Ａにおいて互いに並んで配されている。本例では、発光ダイオード列２、３及び４の夫々に配列された赤色発光ダイオード２ａ、白色発光ダイオード３ａ及び緑色発光ダイオード４ａの個数は同数である。
【００２１】
絶縁体５は、円板状本体１５と、円板状本体１５の露呈した円形状の面１６とを有している。平面状の面１６には、本例では、発光ダイオード列２、３及び４からなる集合部が四つ設けられており、当該集合部の一つは面１６の四分の一の領域に配設されており、上記集合部が隣接する部分では、発光ダイオード列２と発光ダイオード列３とが円周方向Ａにおいて隣り合って並置されている。而して、面１６には、夫々四つの発光ダイオード列２、３及び４が配設されることになる。面１６には光を反射し得るようにメッキ処理等が施されていてもよい。赤色発光ダイオード２ａ、白色発光ダイオード３ａ及び緑色発光ダイオード４ａの夫々の発光面１３は、互いに面一である。
【００２２】
極１１並びに極１２ａ、１２ｂ及び１２ｃの夫々は、照明用光源装置１の背面から伸びている通電線２０に接続されている。絶縁体５の周囲には円筒状のケース２１に覆われている。ケース２１には、面１６を覆うように配されるレンズ、例えばアクリルフレネルレンズが装着されてもよい。略円環状の取付部材６には、絶縁体５及びケース２１が設けられている。
【００２３】
赤色発光ダイオード２ａ、白色発光ダイオード３ａ及び緑色発光ダイオード４ａの夫々の発光の制御は、これらに供給される電流等の制御、例えばいわゆるＰＷＭ制御によって行われる。発光ダイオード列２の三個の赤色発光ダイオード２ａは、極１１及び１２ａを通じて供給される電流等の増減に基づいてその発光が制御され、発光ダイオード列３の三個の白色発光ダイオード３ａは、極１１及び１２ｂを通じて供給される電流等の増減に基づいてその発光が制御され、発光ダイオード列４の三個の緑色発光ダイオード４ａは、極１１及び１２ｃを通じて供給される電流等の増減に基づいてその発光が制御される。発光ダイオード列２、３及び４の発光は、夫々互いに別個独立に制御され、これにより、照明用光源装置１は、その照明光を速やかに且つ漸次的に滑らかに変色させることが可能となる。また、本例の照明用光源装置１においては、複数の発光ダイオード列２、複数の発光ダイオード列３及び複数の発光ダイオード列４を具備している。複数の発光ダイオード列２の発光の制御は、夫々互いに共通に行われてもよいが、夫々互いに別個独立に制御されてもよい。複数の発光ダイオード列３の発光の制御は、夫々互いに共通に行われてもよいが、夫々互いに別個独立に制御されてもよい。複数の発光ダイオード列４の発光の制御は、夫々互いに共通に行われてもよいが、夫々互いに別個独立に制御されてもよい。照明用光源装置１は、本例では消費電力３６Ｗ〜７２Ｗ程度、例えば６０Ｗ程度であるが、白熱電球を備えた消費電力５００Ｗ程度の光源装置（図示せず）による光量と同等の光量を有する。
【００２４】
尚、本例では、照明用光源装置１は、赤色発光ダイオード２ａ、白色発光ダイオード３ａ及び緑色発光ダイオード４ａを具備しているが、これら夫々に代えて又は加えて、青色発光ダイオードを具備していてもよい。また、照明用光源装置１は、発光ダイオード列３に代えて緑色発光ダイオード３ａを有する発光ダイオード列を、発光ダイオード列４に代えて青色発光ダイオードを有する発光ダイオード列を具備していてもよい。
【００２５】
本例の照明用光源装置１は、例えば図３に示す照明装置としてのスポットライト３０の光源部３１に装着されてもよく、また、例えば図４に示す照明装置としてのフラットライト４０の複数の光源部４１の少なくとも一つの光源部４１に装着されてもよい。尚、図３に示すスポットライト３０は、フォーカスレンズ３２が設けられた前部筐体３３と、光源部３１が設けられた後部筐体３４と、前部筐体３３及び後部筐体３４間に配されていると共に当該前部筐体３３の後方の部位及び当該後部筐体３４の前方の部位を取り囲んでいる中部筐体３５とを具備しており、前部筐体３３は中部筐体３５に対して相対的に前後方向に移動自在であり、後部筐体３４は中部筐体３５に対して相対的に前後方向に移動自在である。
【００２６】
本例の照明用光源装置１によれば、複数の発光ダイオード２ａ（３ａ）が互いに電気的に接続されて配列されている発光ダイオード列２（３）と、発光ダイオード列２（３ａ）の複数の発光ダイオード２ａ（３ａ）の発光色とは異なる発光色の複数の発光ダイオード３ａ（４ａ）が互いに電気的に接続されて配列されている他の発光ダイオード列３（４）と、発光ダイオード列２（３）及び他の発光ダイオード列３（４）が並置された絶縁体５とを具備しており、発光ダイオード列２（３）の複数の発光ダイオード２ａ（３ａ）の発光は、他の発光ダイオード列３（４）の複数の発光ダイオード３ａ（４ａ）の発光に対して別個独立に制御されるようになっているために、発光ダイオード列２（３）及び他の発光ダイオード列３（４）の夫々の発光を別個独立に制御することで、発光ダイオード列２（３）及び他の発光ダイオード列３（４）の夫々の発光色を所望に調和させ得て、照明用光源装置１からの発光色自体を自在に変色させることができ、而して、照明光の変色を速やかに且つ漸次的に滑らかに変色させることを可能ならしめる。
【００２７】
照明用光源装置１によれば、発光ダイオード列２（３）の複数の発光ダイオード２ａ（３ａ）及び他の発光ダイオード列３（４）の複数の発光ダイオード３ａ（４ａ）は、放射方向Ｂにおいて配列されており、発光ダイオード列２（３）及び他の発光ダイオード列３（４）の夫々は、円周方向Ａにおいて互いに並置されている。
【００２８】
照明用光源装置１によれば、発光ダイオード列２（３）及び他の発光ダイオード列３（４）の夫々の両極のうちの一方は、放射方向Ｂに関して中心Ｏに位置する共通の極１１からなり、発光ダイオード列２（３）及び他の発光ダイオード列３（４）の夫々の両極のうちの他方は、前記共通の極１１から放射方向Ｂに離れて位置する別個独立の極１２ａ（１２ｂ）及び１２ｂ（１２ｃ）からなるために、互いに別個独立に制御可能な発光ダイオード列２（３）及び他の発光ダイオード列３（４）を密集配置させることができ、而して、より十分な発光量を確保し得ると共に照明用光源装置１のコンパクト化を図り得る。
【００２９】
照明用光源装置１によれば、第一発光ダイオード列としての発光ダイオード列２、第二発光ダイオード列としての発光ダイオード列３及び第三発光ダイオード列としての発光ダイオード列４を具備しており、発光ダイオード列２は、発光ダイオード列４とは異なる発光色であるために、より多彩な発光色を得ることができ、例えば、赤、緑及び青の三つの原色を混ぜる加法混色をも実現し得る。
【００３０】
照明用光源装置１によれば、発光ダイオード列２の複数の発光ダイオードの夫々は赤色発光ダイオード２ａからなり、発光ダイオード列３の複数の発光ダイオードの夫々は白色発光ダイオード３ａからなり、発光ダイオード列４の複数の発光ダイオードの夫々は緑色発光ダイオード４ａ又は青色発光ダイオードからなるために、特に白色発光ダイオード３ａにより十分な光量をもった色ムラのない自然な発光色を得ることができる。
【図面の簡単な説明】
【００３１】
【図１】本発明の実施の形態の例の正面視説明図である。
【図２】図１に示す例の側面視説明図である。
【図３】図１に示す例の照明用光源装置が用いられる照明装置の説明図である。
【図４】図１に示す例の照明用光源装置が用いられる他の照明装置の説明図である。
【符号の説明】
【００３２】
１  光源装置
２、３、４  発光ダイオード列
５  絶縁体
６  取付部材
３０  スポットライト
４０  フラットライト
【図１】
2010062101.tif 000003
【図２】
2010062101.tif 000004
【図３】
2010062101.tif 000005
【図４】
2010062101.tif 000006